(57)【要約】【課題】再送要求を送信した無線端末装置の割合に基づく処理を実行すること。【解決手段】各無線端末装置３０は、通信データを受信した場合に、第１のサブキャリア群の中から選択される１又は複数のサブキャリアに係る変調処理を行うことにより、同報受信信号を送信するとともに、通信データが正常に受信されているか否かを判定し、正常に受信されていないと判定された場合に、第１のサブキャリア群とは重複しない第２のサブキャリア群の中から選択される１又は複数のサブキャリアに係る変調処理を行うことにより、再送要求信号を送信する。基地局装置１０は、第１及び第２のサブキャリア群をそれぞれ受信し、各サブキャリア群を構成する各サブキャリアの受信レベルの合計値である第１合計値及び第２合計値を取得し、第１合計値に対する第２合計値の割合に基づき、マルチキャスト送信の制御を行う。【選択図】図１
2008277913.tif 000002
【特許請求の範囲】
【請求項１】
通信データをマルチキャスト送信する基地局装置と、マルチキャスト送信された前記通信データを受信する複数の無線端末装置と、を含む無線通信システムであって、
前記各無線端末装置は、
前記通信データを受信した場合に、第１のサブキャリア群の中から選択される１又は複数のサブキャリアにより、同報受信信号を送信する同報受信信号送信手段と、
前記通信データが正常に受信されているか否かを判定する判定手段と、
前記判定手段により前記通信データが正常に受信されていないと判定された場合に、前記第１のサブキャリア群とは重複しない第２のサブキャリア群の中から選択される１又は複数のサブキャリアにより、再送要求信号を送信する再送要求信号送信手段と、
を含み、
前記基地局装置は、
前記第１のサブキャリア群を受信し、該第１のサブキャリア群を構成する各サブキャリアの受信レベルの合計値である第１合計値を取得する第１合計値取得手段と、
前記第２のサブキャリア群を受信し、該第２のサブキャリア群を構成する各サブキャリアの受信レベルの合計値である第２合計値を取得する第２合計値取得手段と、
前記第１合計値に対する前記第２合計値の割合に基づき、マルチキャスト送信の制御を行うマルチキャスト送信制御手段と、
を含む、
ことを特徴とする無線通信システム。
【請求項２】
請求項１に記載の無線通信システムにおいて、
前記マルチキャスト送信制御手段は、
前記第１合計値に基づき、閾値を算出する閾値算出手段と、
算出された閾値と、前記第２合計値と、を比較する比較手段と、
を含み、
前記マルチキャスト送信制御手段は、前記比較手段の比較結果に基づき、マルチキャスト送信の制御を行う、
ことを特徴とする無線通信システム。
【請求項３】
請求項１に記載の無線通信システムにおいて、
前記同報受信信号送信手段は、前記第１のサブキャリア群の中から選択される第１の個数のサブキャリアにより、同報受信信号を送信し、
前記再送要求信号送信手段は、前記第２のサブキャリア群の中から選択される第２の個数のサブキャリアにより、再送要求信号を送信し、
前記マルチキャスト送信制御手段は、前記第１合計値に対する前記第２合計値の割合と、前記第１の個数に対する前記第２の個数の割合と、に基づき、マルチキャスト送信の制御を行う、
ことを特徴とする無線通信システム。
【請求項４】
請求項１又は３に記載の無線通信システムにおいて、
前記同報受信信号送信手段は、第１のサブキャリア群の中から選択される１又は複数のサブキャリアの各電力レベルを第１の所定値とすることにより、同報受信信号を送信し、
前記再送要求信号送信手段は、第２のサブキャリア群の中から選択される１又は複数のサブキャリアの各電力レベルを第２の所定値とすることにより、再送要求信号を送信し、
前記マルチキャスト送信制御手段は、前記第１合計値に対する前記第２合計値の割合と、前記第１の所定値に対する前記第２の所定値の割合と、に基づき、マルチキャスト送信の制御を行う、
ことを特徴とする無線通信システム。
【請求項５】
請求項２に記載の無線通信システムにおいて、
前記同報受信信号送信手段は、前記第１のサブキャリア群の中から選択される第１の個数のサブキャリアにより、同報受信信号を送信し、
前記再送要求信号送信手段は、前記第２のサブキャリア群の中から選択される第２の個数のサブキャリアにより、再送要求信号を送信し、
前記閾値算出手段は、前記第１合計値と、前記第１の個数に対する前記第２の個数の割合と、に基づき、前記閾値を算出する、
ことを特徴とする無線通信システム。
【請求項６】
請求項２又は５に記載の無線通信システムにおいて、
前記同報受信信号送信手段は、第１のサブキャリア群の中から選択される１又は複数のサブキャリアの各電力レベルを第１の所定値とすることにより、同報受信信号を送信し、
前記再送要求信号送信手段は、第２のサブキャリア群の中から選択される１又は複数のサブキャリアの各電力レベルを第２の所定値とすることにより、再送要求信号を送信し、
前記閾値算出手段は、前記第１合計値と、前記第１の所定値に対する前記第２の所定値の割合と、に基づき、前記閾値を算出する、
ことを特徴とする無線通信システム。
【請求項７】
基地局装置から、マルチキャスト送信された通信データを受信する無線端末装置であって、
前記通信データを受信した場合に、第１のサブキャリア群の中から選択される１又は複数のサブキャリアにより、同報受信信号を送信する同報受信信号送信手段と、
前記通信データが正常に受信されているか否かを判定する判定手段と、
前記判定手段により前記通信データが正常に受信されていないと判定された場合に、前記第１のサブキャリア群とは重複しない第２のサブキャリア群の中から選択される１又は複数のサブキャリアにより、再送要求信号を送信する再送要求信号送信手段と、
を含むことを特徴とする無線端末装置。
【請求項８】
複数の無線端末装置に対して通信データをマルチキャスト送信する基地局装置であって、
第１のサブキャリア群を受信し、該第１のサブキャリア群を構成する各サブキャリアの受信レベルの合計値である第１合計値を取得する第１合計値取得手段と、
第２のサブキャリア群を受信し、該第２のサブキャリア群を構成する各サブキャリアの受信レベルの合計値である第２合計値を取得する第２合計値取得手段と、
前記第１合計値に対する前記第２合計値の割合に基づき、マルチキャスト送信の制御を行うマルチキャスト送信制御手段と、
を含むことを特徴とする基地局装置。
【請求項９】
基地局装置が通信データをマルチキャスト送信し、複数の無線端末装置がマルチキャスト送信された前記通信データを受信する無線通信方法であって、
前記各無線端末装置が、前記通信データを受信した場合に、第１のサブキャリア群の中から選択される１又は複数のサブキャリアにより、同報受信信号を送信する同報受信信号送信ステップと、
前記各無線端末装置が、前記通信データが正常に受信されているか否かを判定する判定ステップと、
前記各無線端末装置が、前記判定ステップにおいて前記通信データが正常に受信されていないと判定された場合に、前記第１のサブキャリア群とは重複しない第２のサブキャリア群の中から選択される１又は複数のサブキャリアにより、再送要求信号を送信する再送要求信号送信ステップと、
前記基地局装置が、前記第１のサブキャリア群を受信し、該第１のサブキャリア群を構成する各サブキャリアの受信レベルの合計値である第１合計値を取得する第１合計値取得ステップと、
前記基地局装置が、前記第２のサブキャリア群を受信し、該第２のサブキャリア群を構成する各サブキャリアの受信レベルの合計値である第２合計値を取得する第２合計値取得ステップと、
前記基地局装置が、第１合計値に対する前記第２合計値の割合に基づき、マルチキャスト送信の制御を行うマルチキャスト送信制御ステップと、
を含むことを特徴とする無線通信方法。
【発明の詳細な説明】
【技術分野】
【０００１】
本発明は、無線通信システム、無線端末装置、基地局装置、及び無線通信方法に関する。
【背景技術】
【０００２】
無線通信システムにおいては、基地局装置から無線端末装置に対して１対多の送信が行われることがある。このような１対多の送信は一般にマルチキャスト送信と呼ばれる。これに対し、１対１の送信はユニキャスト送信と呼ばれる。商用の無線通信システムにおけるマルチキャスト送信では、１つの基地局装置がマルチキャスト送信した通信データを受信する無線端末装置の数が１０００以上になることもある。
【０００３】
ところで、無線通信では、電波伝播状況などにより、伝送途中において通信データが誤りを含んでしまうことが多い。そこで、送信時において通信データに巡回冗長符号を含めておくことにより受信側装置で誤りを検出できるようにし、受信側装置は、誤りを検出した場合に再送要求を返信し、送信側装置は、再送要求を受信すると、再送を要求された通信データ（誤りの検出された通信データ）を再送するようにすることが広く行われている。
【０００４】
再送要求処理が行われるという点ではマルチキャスト送信もユニキャスト送信も同様であるが、マルチキャスト送信の場合、多数の無線端末装置が一度に同じ通信データを受信することになり、再送要求も一度に多数送信されることになる。このため、各無線端末装置に無線リソースを排他的に割り当て、その無線リソースを利用して再送要求を送信させるようにすると、無線リソースが足りなくなってしまう場合がある。
【０００５】
そこで、特許文献１に記載の技術では、ＯＦＤＭ（Orthogonal Frequency Division Multiplexing：直交周波数多重方式）のサブキャリアを用い、複数の無線端末装置によるその重複利用を許容しつつ、再送要求を送信させるようにしている。具体的には、再送要求用にいくつかのサブキャリア（Ｍ個のサブキャリア）を確保しておき、無線端末装置は、そのうちのいくつかを選択して（Ｌ個（Ｌ≦Ｍ）のサブキャリア。無線端末装置間での重複選択を許す。）変調することにより、再送要求を送信する。基地局装置は、Ｍ個のサブキャリアの中に変調されたものが含まれていれば、それを再送要求とみなし、通信データの再送を行う。
【特許文献１】特開２００１−１０３０６０号公報
【発明の開示】
【発明が解決しようとする課題】
【０００６】
ところで、再送をしていると、当然伝送効率は悪くなる。また、多数の無線端末装置に対してマルチキャスト送信を行う場合、ほぼ必ず、いくつかの無線端末装置は再送要求を送信することになる。このため、多数の無線端末装置に対してのマルチキャスト送信では、無線端末装置が１つでも再送要求した場合に再送制御を行うようにすると、伝送効率がなかなか上がらない。とはいえ、「無線端末装置が１つでも再送要求した場合に再送制御を行う」という処理を行わないようにするとしても、では、どのような場合に再送制御を行うべきなのか、上記特許文献１記載の技術にはその指標となるものがない。
【０００７】
同様に、例えばマルチキャスト送信の送信レート制御によって誤り率をコントロールできるが、どのような場合に送信レート制御を行うべきなのか、上記特許文献１記載の技術にはその指標となるものがない。
【０００８】
従って、本発明の課題の一つは、マルチキャスト送信の制御（再送制御や送信レート制御）を行うか否かを判定するための指標を提供できる無線通信システム、無線端末装置、基地局装置、及び無線通信方法を提供することにある。
【課題を解決するための手段】
【０００９】
上記課題を解決するための本発明にかかる無線通信システムは、通信データをマルチキャスト送信する基地局装置と、マルチキャスト送信された前記通信データを受信する複数の無線端末装置と、を含む無線通信システムであって、前記各無線端末装置は、前記通信データを受信した場合に、第１のサブキャリア群の中から選択される１又は複数のサブキャリアにより、同報受信信号を送信する同報受信信号送信手段と、前記通信データが正常に受信されているか否かを判定する判定手段と、前記判定手段により前記通信データが正常に受信されていないと判定された場合に、前記第１のサブキャリア群とは重複しない第２のサブキャリア群の中から選択される１又は複数のサブキャリアにより、再送要求信号を送信する再送要求信号送信手段と、を含み、前記基地局装置は、前記第１のサブキャリア群を受信し、該第１のサブキャリア群を構成する各サブキャリアの受信レベルの合計値である第１合計値を取得する第１合計値取得手段と、前記第２のサブキャリア群を受信し、該第２のサブキャリア群を構成する各サブキャリアの受信レベルの合計値である第２合計値を取得する第２合計値取得手段と、前記第１合計値に対する前記第２合計値の割合に基づき、マルチキャスト送信の制御を行うマルチキャスト送信制御手段と、を含む、ことを特徴とする。
【００１０】
これによれば、第１合計値に対する第２合計値の割合を指標として、マルチキャスト送信の制御を行うことができる。なお、上記サブキャリアは、ＯＦＤＭにおいて用いられるサブキャリアの単位時間（同報受信信号又は再送要求信号の送信に要する時間）分である。
【００１１】
また、上記無線通信システムにおいて、前記マルチキャスト送信制御手段は、前記第１合計値に基づき、閾値を算出する閾値算出手段と、算出された閾値と、前記第２合計値と、を比較する比較手段と、を含み、前記マルチキャスト送信制御手段は、前記比較手段の比較結果に基づき、マルチキャスト送信の制御を行う、こととしてもよい。
これによれば、例えば、第１受信レベル合計値取得手段により取得される合計値に、マルチキャスト送信制御の基準となる再送要求率（同報受信信号を送信した無線端末装置数に対する再送要求信号を送信した無線端末装置数の割合。以下、基準再送要求率という。）を乗算することにより、閾値を算出することができる。そしてそうすることで、上記基準再送要求率を指標として、マルチキャスト送信の制御を行うことができるようになる。
【００１２】
また、上記無線通信システムにおいて、前記同報受信信号送信手段は、前記第１のサブキャリア群の中から選択される第１の個数のサブキャリアにより、同報受信信号を送信し、前記再送要求信号送信手段は、前記第２のサブキャリア群の中から選択される第２の個数のサブキャリアにより、再送要求信号を送信し、前記マルチキャスト送信制御手段は、前記第１合計値に対する前記第２合計値の割合と、前記第１の個数に対する前記第２の個数の割合と、に基づき、マルチキャスト送信の制御を行う、こととしてもよい。
【００１３】
これによれば、マルチキャスト送信制御手段は、第１の個数と第２の個数とが異なる場合であっても、第１合計値に対する第２合計値の割合を指標として、適切にマルチキャスト送信の制御を行うことができる。
【００１４】
また、上記無線通信システムにおいて、前記同報受信信号送信手段は、第１のサブキャリア群の中から選択される１又は複数のサブキャリアの各電力レベルを第１の所定値とすることにより、同報受信信号を送信し、前記再送要求信号送信手段は、第２のサブキャリア群の中から選択される１又は複数のサブキャリアの各電力レベルを第２の所定値とすることにより、再送要求信号を送信し、前記マルチキャスト送信制御手段は、前記第１合計値に対する前記第２合計値の割合と、前記第１の所定値に対する前記第２の所定値の割合と、に基づき、マルチキャスト送信の制御を行う、こととしてもよい。
【００１５】
これによれば、マルチキャスト送信制御手段は、第１の所定値と第２の所定値とが異なる場合であっても、第１合計値に対する第２合計値の割合を指標として、適切にマルチキャスト送信の制御を行うことができる。
【００１６】
また、上記無線通信システムにおいて、前記同報受信信号送信手段は、前記第１のサブキャリア群の中から選択される第１の個数のサブキャリアにより、同報受信信号を送信し、前記再送要求信号送信手段は、前記第２のサブキャリア群の中から選択される第２の個数のサブキャリアにより、再送要求信号を送信し、前記閾値算出手段は、前記第１合計値と、前記第１の個数に対する前記第２の個数の割合と、に基づき、前記閾値を算出する、こととしてもよい。
これによれば、閾値算出手段は、第１の個数と第２の個数とが異なる場合であっても、適切に閾値を算出することができる。
【００１７】
また、上記無線通信システムにおいて、前記同報受信信号送信手段は、第１のサブキャリア群の中から選択される１又は複数のサブキャリアの各電力レベルを第１の所定値とすることにより、同報受信信号を送信し、前記再送要求信号送信手段は、第２のサブキャリア群の中から選択される１又は複数のサブキャリアの各電力レベルを第２の所定値とすることにより、再送要求信号を送信し、前記閾値算出手段は、前記第１合計値と、前記第１の所定値に対する前記第２の所定値の割合と、に基づき、前記閾値を算出する、こととしてもよい。
これによれば、閾値算出手段は、第１の所定値と第２の所定値とが異なる場合であっても、適切に閾値を算出することができる。
【００１８】
また、本発明にかかる無線端末装置は、前記通信データを受信した場合に、第１のサブキャリア群の中から選択される１又は複数のサブキャリアにより、同報受信信号を送信する同報受信信号送信手段と、前記通信データが正常に受信されているか否かを判定する判定手段と、前記判定手段により前記通信データが正常に受信されていないと判定された場合に、前記第１のサブキャリア群とは重複しない第２のサブキャリア群の中から選択される１又は複数のサブキャリアにより、再送要求信号を送信する再送要求信号送信手段と、を含むことを特徴とする。
【００１９】
また、本発明にかかる基地局装置は、複数の無線端末装置に対して通信データをマルチキャスト送信する基地局装置であって、第１のサブキャリア群を受信し、該第１のサブキャリア群を構成する各サブキャリアの受信レベルの合計値である第１合計値を取得する第１合計値取得手段と、第２のサブキャリア群を受信し、該第２のサブキャリア群を構成する各サブキャリアの受信レベルの合計値である第２合計値を取得する第２合計値取得手段と、前記第１合計値に対する前記第２合計値の割合に基づき、マルチキャスト送信の制御を行うマルチキャスト送信制御手段と、を含むことを特徴とする。
【００２０】
また、本発明にかかる無線通信方法は、基地局装置が通信データをマルチキャスト送信し、複数の無線端末装置がマルチキャスト送信された前記通信データを受信する無線通信方法であって、前記各無線端末装置が、前記通信データを受信した場合に、第１のサブキャリア群の中から選択される１又は複数のサブキャリアにより、同報受信信号を送信する同報受信信号送信ステップと、前記各無線端末装置が、前記通信データが正常に受信されているか否かを判定する判定ステップと、前記各無線端末装置が、前記判定ステップにおいて前記通信データが正常に受信されていないと判定された場合に、前記第１のサブキャリア群とは重複しない第２のサブキャリア群の中から選択される１又は複数のサブキャリアにより、再送要求信号を送信する再送要求信号送信ステップと、前記基地局装置が、前記第１のサブキャリア群を受信し、該第１のサブキャリア群を構成する各サブキャリアの受信レベルの合計値である第１合計値を取得する第１合計値取得ステップと、前記基地局装置が、前記第２のサブキャリア群を受信し、該第２のサブキャリア群を構成する各サブキャリアの受信レベルの合計値である第２合計値を取得する第２合計値取得ステップと、前記基地局装置が、第１合計値に対する前記第２合計値の割合に基づき、マルチキャスト送信の制御を行うマルチキャスト送信制御ステップと、を含むことを特徴とする。
【発明を実施するための最良の形態】
【００２１】
以下、本発明の実施の形態について、図面を参照しながら説明する。
【００２２】
［実施の形態１］
図１は、本実施の形態にかかる無線通信システム１のシステム構成を示す図である。同図に示すように、無線通信システム１は基地局装置１０と、多数の無線端末装置３０と、を含んで構成される。基地局装置１０は、通信データをマルチキャスト送信し、各無線端末装置３０は、マルチキャスト送信された通信データを受信する。基地局装置１０がマルチキャスト送信した通信データを受信する無線端末装置３０の数は、実際には１０００以上となることもある。なお、上記マルチキャスト送信を含む基地局装置１０と無線端末装置３０との間の通信は、ＯＦＤＭ方式により行われる。
【００２３】
図２は、マルチキャスト送信の概略の説明図である。基地局装置１０は、複数の無線端末装置３０（図２では無線端末装置３０−１乃至５）に対して、同時にパケットを送信する（図２のｔ１〜ｔ２）。各無線端末装置３０は、巡回冗長符号等を用いて受信パケットの誤り検出を行なう。各無線端末装置３０は、誤り検出の有無に関わらず、同報受信（ＡＣＫ：ACKnowledge）信号を生成して送信するとともに、受信パケットに誤りが検出された場合には、再送要求（ＮＡＫ：Negative AcKnowledge）信号を生成し、送信する。
【００２４】
なお、ここで送信される同報受信信号は、通常のＡＣＫとは異なるものである。すなわち、通常のＡＣＫは「通信がエラーなく到達したこと」を示すものであるが、同報受信信号は単に「通信が到達したこと」を示している。
【００２５】
同報受信信号及び再送要求信号は、本実施の形態では１個のＯＦＤＭシンボルで構成される。通常、ＯＦＤＭシンボルは、直交するＮ個のサブキャリアに変調信号を重畳してＩＦＦＴ（逆フーリエ変換）処理を行なって生成するが、本実施形態では、Ｎ個のサブキャリアのうちの一部を利用して再送要求信号を生成する。また、Ｎ個のサブキャリアのうちの一部を利用して再送要求信号を生成する。これらの信号の生成手法の詳細は後述する。
【００２６】
基地局装置１０がパケットを同報するタイムスロット（図２のｔ１〜ｔ２）と、そのパケットに対し端末局が同報受信信号及び再送要求信号を応答するタイムスロット（図２ではｔ２〜ｔ３）は、事前の手順により定められており、各無線端末装置３０は、指定されたタイムスロット（図２ではｔ２〜ｔ３）を用いて同報受信信号及び再送要求信号を基地局装置１０に送信する。
【００２７】
次に、無線端末装置３０の詳細について説明する。図３は、無線端末装置３０の内部構成を示す概略ブロック図である。同図に示すように、無線端末装置３０は、アンテナ３１、ＲＦ（Radio Frequency）部３２、ＯＦＤＭシンボル検出器３３、Ｐ／Ｓ（Parallel / Serial）変換器３４、復調器３５、符号器３６、制御部３７、第１の個数記憶部３８、第１の所定値記憶部３９、第２の個数記憶部４０、第２の所定値記憶部４１、符号器４２、多重部４３、変調器４４、Ｓ／Ｐ（Serial / Parallel）変換器４５、ＯＦＤＭシンボル生成器４６、ＲＦ部４７を含んで構成される。なお、制御部３７はさらにその内部に、同報受信信号送信部３７０、再送要求信号送信部３７１を含んで構成される。
【００２８】
ＲＦ部３２は、アンテナ３１で受信された無線周波数信号をダウンコンバートして直交復調を行う。ＯＦＤＭシンボル検出器３３は、ＲＦ部２の出力に対してＦＦＴ（Fast Fourier Transform）処理を行ってＯＦＤＭシンボルを検出する。Ｐ／Ｓ変換器３４は、ＯＦＤＭシンボルをパラレル／シリアル変換する。復調器３５は、シリアル変換されたＯＦＤＭシンボルを復調する。符号器３６は、巡回冗長符号等を用いて復調信号の誤り検出を行うことにより、通信データが正常に受信されているか否かを判定する判定手段として機能する。
【００２９】
同報受信信号送信部３７０（同報受信信号送信手段）は、通信データを受信した場合に、第１のサブキャリア群の中から選択される第１の個数（以下、Ｌｏ個とする。）のサブキャリアに係る変調処理を行い、各サブキャリアの電力レベルを第１の所定値（以下、Ｐｏとする。）とすることにより、同報受信信号を送信する。また、再送要求信号送信部３７１（再送要求信号送信手段）は、符号器３６により通信データが正常に受信されていないと判定された場合に、上記第１のサブキャリア群とは重複しない第２のサブキャリア群の中から選択される第２の個数（以下、Ｌ個とする。）のサブキャリアに係る変調処理を行い、各サブキャリアの電力レベルを第２の所定値（以下、Ｐとする。）とすることにより、再送要求信号を送信する。
【００３０】
なお、上記Ｌｏ，Ｌ，Ｐｏ，Ｐは、ユーザにより決定され、それぞれ第１の個数記憶部３８，第２の個数記憶部４０，第１の所定値記憶部３９，第２の所定値記憶部４１に記憶されている。同報受信信号送信部３７０及び再送要求信号送信部３７１は、各記憶部から上記Ｌｏ，Ｌ，Ｐｏ，Ｐを読み出して用いる。本実施の形態では、Ｌｏ＝Ｌ、Ｐｏ＝Ｐであるとして説明する。
【００３１】
また、ここでは第１のサブキャリア群を、図２に示した時刻ｔ２〜ｔ３に送信されるＯＦＤＭシンボルを構成するサブキャリアのうちのＭｏ個とし、第２のサブキャリア群を、図２に示した時刻ｔ２〜ｔ３に送信されるサブキャリアのうちの他のＭ個とする。第１のサブキャリア群及び第２のサブキャリア群は予め決められている。
【００３２】
同報受信信号送信部３７０及び再送要求信号送信部３７１は、それぞれＭｏ個のサブキャリア及びＭ個のサブキャリアの中から、それぞれＬｏ個のサブキャリア及びＬ個のサブキャリアを選択する。この選択方法としては、毎回ランダムに選択する方法や、通信開始時のみランダムに選択し、それ以降は同一のサブキャリアを選択する方法や、固定のサブキャリアを選択する方法などがあり、どの方法で選択してもよい。そして、それぞれ選択したＬｏ個又はＬ個のサブキャリアのみに変調信号を重畳し、他のサブキャリアはヌルとなるような信号系列を生成する。
【００３３】
符号器４２は、送信用の信号を符号化して信号系列を生成する。多重部４３は、符号器４２、同報受信信号送信部３７０、及び再送要求信号送信部３７１で生成された各信号系列を多重化し、多重化信号を生成する。変調器４４は、生成された多重化信号を変調する。Ｓ／Ｐ変換器４５は、変調器４４が行う変調によって得られる変調信号をパラレル信号に変換する。ＯＦＤＭシンボル生成器４６は、Ｓ／Ｐ変換器４５の出力に対してＩＦＦＴ（Inverse Fast Fourier Transform）処理を行ってＯＦＤＭシンボルを生成する。ＲＦ部４７は、ＯＦＤＭシンボルを変調して無線周波数にアップコンバートする。ＲＦ部４７の出力はアンテナ３１から送信される。
【００３４】
多重部４３の処理について、より詳しく説明する。多重部４３は、同報受信信号送信部３７０が同報受信信号を生成せず、再送要求信号送信部３７１も再送要求信号を生成しなかった場合には、符号器４２が生成した信号系列を出力する。一方、同報受信信号送信部３７０が同報受信信号を生成し、又は再送要求信号送信部３７１が再送要求信号を生成した場合には、生成された信号に対応する信号系列と、符号器４２が生成した信号系列と、を多重化する。
【００３５】
なお、図面では本発明を説明するための最小限の構成しか示していないが、例えば、インターリーブや誤り訂正（ＦＥＣ：Forward Error Collection）を行なう場合は、符号器４２の直後にインターリーバ、符号器３６の直前にデインタリーバなどが必要となる。
【００３６】
図４は無線端末装置３０が送信する再送要求信号の一例を示す図であり、特にＬ＝１の場合を示している。一方、図５は基地局装置１０が受信した再送要求信号の一例を示す図である。なお、図４及び図５では、斜線部が再送要求信号を示している。
【００３７】
図５に示すように、基地局装置１０では、各無線端末装置３０が送信した再送要求信号がそれぞれ受信される。なお、各無線端末装置３０はそれぞれ独立した処理によりＬ個のサブキャリアを選択しているので、同じサブキャリアを選択する場合もあり得る。この場合、各無線端末装置３０が送信した再送要求信号の位相が互いに逆相となっていれば、打ち消しあって受信レベルが下がることになる。
なお、図４及び図５では再送要求信号について説明したが、同報受信信号についても同様である。
【００３８】
次に、本実施の形態にかかる基地局装置１０である基地局装置１０ａの詳細について説明する。図６は、基地局装置１０ａの内部構成を示す概略ブロック図である。同図に示すように、基地局装置１０ａは、制御部１１、符号器１２、変調器１３、Ｓ／Ｐ変換器１４、ＯＦＤＭシンボル生成器１５、ＲＦ部１６、アンテナ１７、ＲＦ部１８、ＯＦＤＭシンボル検出器１９、第１受信レベル合計値取得部２０、第２受信レベル合計値取得部２１、Ｐ／Ｓ変換器２２、復調器２３、符号器２４、マルチキャスト送信制御部２５ａを含んで構成される。なお、マルチキャスト送信制御部２５ａはさらにその内部に、基準再送要求率入力受付部２５０、閾値算出部２５１ａ、比較部２５２を含んで構成される。
【００３９】
ＲＦ部１８は、アンテナ１７で受信された無線周波数信号をダウンコンバートして直交復調を行う。ＯＦＤＭシンボル検出器１９は、ＲＦ部１８の出力に対してＦＦＴ処理を行ってＯＦＤＭシンボルを検出する。
【００４０】
第１受信レベル合計値取得部２０（第１合計値取得手段）は、第１のサブキャリア群（Ｍｏ個のサブキャリア）を受信し、各サブキャリアごとの信号成分の受信レベルを検出する。そして、検出した受信レベルを合計（統計多重加算）することにより、第１のサブキャリア群を構成する各サブキャリアの受信レベルの合計値（第１合計値）を取得する。同様に、第２受信レベル合計値取得部２１（第２合計値取得手段）は、第２のサブキャリア群（Ｍ個のサブキャリア）を受信し、各サブキャリアごとの信号成分の受信レベルを検出する。そして、検出した受信レベルを合計（統計多重加算）することにより、第２のサブキャリア群を構成する各サブキャリアの受信レベルの合計値（第２合計値）を取得する。
【００４１】
Ｐ／Ｓ変換器２２は、ＯＦＤＭシンボルをパラレル／シリアル変換する。復調器２３は、シリアル変換されたＯＦＤＭシンボルを復調する。符号器２４は、復調信号に基づいて誤り検出を行う。制御部１１は、誤り検出後の復調信号を受信する。
【００４２】
マルチキャスト送信制御部２５ａ（マルチキャスト送信制御手段）は、上記第１合計値に対する上記第２合計値の割合に基づき、マルチキャスト送信の制御を行う。以下、マルチキャスト送信制御部２５ａの処理について、詳しく説明する。
【００４３】
まず、基準再送要求率入力受付部２５０は、ユーザによる基準再送要求率の入力を受け付ける。ここで入力される基準再送要求率は、同報受信信号を送信した無線端末装置数に対する再送要求信号を送信した無線端末装置数の割合の基準値である。
【００４４】
閾値算出部２５１ａ（閾値算出手段）は、第１合計値に上記基準再送要求率を乗算することにより、第２合計値の閾値を算出する。式（１）は、この閾値の算出式である。
閾値＝第１合計値×基準再送要求率  ・・・（１）
【００４５】
比較部２５２（比較手段）は、閾値算出部２５１ａにより算出された閾値と、第２受信レベル合計値取得部２１により取得された第２合計値と、を比較する。そして、比較結果に基づき、制御部１１による通信データのマルチキャスト送信を制御する。具体的な例を挙げると、比較結果により第２合計値が閾値より高いことが示された場合、マルチキャスト送信の送信レートを下げ、誤り率が下がるようにすることができる。また、比較結果により第２合計値が閾値より高いことが示された場合のみ、その再送要求信号に対応するパケットを再送する再送制御を行うように制御部１１を制御することもできる。いずれの制御用に本実施の形態を用いるかは、基準再送要求率の設定次第である。制御部１１は、比較部２５２の制御に従って、送信レート制御やパケットの再送制御を行う。
【００４６】
符号器１２は、送信用の信号を符号化して信号系列を生成する。変調器１３は、符号器１２で生成された各信号系列を変調する。Ｐ／Ｓ変換器１４は、変調信号をパラレル信号に変換する。ＯＦＤＭシンボル生成器１５は、Ｐ／Ｓ変換器１４の出力に対してＩＦＦＴ処理を行ってＯＦＤＭシンボルを生成する。ＲＦ部１６は、ＯＦＤＭシンボルを直交変調して無線周波数にアップコンバートする。ＲＦ部１６の出力はアンテナ１７から送信される。
【００４７】
なお、制御部１１は、パケットを送信すると、そのパケットを一定時間にわたりバッファリングする。そして、比較部２５２から再送するよう指示されると、バッファリングしていたパケットを読み出してマルチキャスト送信する。ただし、パケットのバッファリングは必ずしも制御部１１で行なう必要はなく、例えば、変調器１３で変調した後の信号やＯＦＤＭシンボル生成器１５で生成したＯＦＤＭシンボルをバッファリングしてもよい。この場合、比較部２５２の制御を、バッファリングしている場所に送ればよい。
【００４８】
また、図６では、本発明を説明するための最小限の構成しか示していないが、無線端末装置３０と同様に、インターリーブや誤り訂正を行う場合は、インターリーバやデインターリーバ等が必要となる。
【００４９】
以上説明したように、本実施の形態によれば、第１合計値に対する第２合計値の割合を指標として、マルチキャスト送信の制御を行うことができる。
【００５０】
また、第１合計値に、基準再送要求率を乗算することにより、閾値を算出しているので、基準再送要求率を指標として、マルチキャスト送信の制御を行うことができるようになる。
さらに、第１合計値に基づいて閾値を決定するため、再送要求信号の誤検出確率や検出見逃し確率を低減することができる。
【００５１】
［実施の形態２］
実施の形態１ではＬｏ＝Ｌ、Ｐｏ＝Ｐである場合について説明したが、実施の形態２では、Ｌｏ≠Ｌ、Ｐｏ＝Ｐである場合について説明する。本実施の形態と実施の形態１とでは、基地局装置１０の構成に違いがあり、以下、その違いを中心に説明する。
【００５２】
図７は、本実施の形態にかかる基地局装置１０である基地局装置１０ｂの内部構成を示す概略ブロック図である。同図に示すように、基地局装置１０ｂは、基地局装置１０ａの構成に加え、第１の個数記憶部２６及び第２の個数記憶部２７を含んで構成される。また、マルチキャスト送信制御部２５ａに代えてマルチキャスト送信制御部２５ｂを含んで構成される。マルチキャスト送信制御部２５ｂは、閾値算出部２５１ａに代えて閾値算出部２５１ｂを含む点で、マルチキャスト送信制御部２５ａと相違している。
【００５３】
マルチキャスト送信制御部２５ｂは、第１合計値に対する第２合計値の割合と、第１の個数に対する第２の個数の割合と、に基づき、マルチキャスト送信の制御を行う。以下、具体的に説明する。
【００５４】
第１の個数記憶部２６及び第２の個数記憶部２７は、それぞれ上記Ｌｏ及びＬを記憶している。閾値算出部２５１ｂは各記憶部から上記Ｌｏ，Ｌを読み出し、第１合計値と、第１の個数に対する第２の個数の割合Ｌ／Ｌｏと、に基づき、前記閾値を算出する。式（２）は、この閾値の算出式である。
閾値＝第１合計値×基準再送要求率×（Ｌ／Ｌｏ）  ・・・（２）
閾値を算出した後の処理は、実施の形態１と同様である。
【００５５】
本実施の形態によれば、マルチキャスト送信制御部２５ｂは、第１の個数と第２の個数とが異なる場合であっても、第１合計値に対する第２合計値の割合を指標として、適切にマルチキャスト送信の制御を行うことができる。
【００５６】
［実施の形態３］
実施の形態３では、Ｌｏ＝Ｌ、Ｐｏ≠Ｐである場合について説明する。本実施の形態と実施の形態１及び２とでは、基地局装置１０の構成に違いがあり、以下、その違いを中心に説明する。
【００５７】
図８は、本実施の形態にかかる基地局装置１０である基地局装置１０ｃの内部構成を示す概略ブロック図である。同図に示すように、基地局装置１０ｃは、基地局装置１０ａの構成に加え、第１の所定値記憶部２８及び第２の所定値記憶部２９を含んで構成される。また、マルチキャスト送信制御部２５ａに代えてマルチキャスト送信制御部２５ｃを含んで構成される。マルチキャスト送信制御部２５ｃは、閾値算出部２５１ａに代えて閾値算出部２５１ｃを含む点で、マルチキャスト送信制御部２５ａと相違している。
【００５８】
マルチキャスト送信制御部２５ｃは、第１合計値に対する第２合計値の割合と、第１の所定値に対する第２の所定値の割合と、に基づき、マルチキャスト送信の制御を行う。以下、具体的に説明する。
【００５９】
第１の所定値記憶部２８及び第２の所定値記憶部２９は、それぞれ上記Ｐｏ及びＰを記憶している。閾値算出部２５１ｃは各記憶部から上記Ｐｏ，Ｐを読み出し、第１合計値と、第１の所定値に対する第２の所定値の割合Ｐ／Ｐｏと、に基づき、前記閾値を算出する。式（３）は、この閾値の算出式である。
閾値＝第１合計値×基準再送要求率×（Ｐ／Ｐｏ）  ・・・（３）
閾値を算出した後の処理は、実施の形態１及び２と同様である。
【００６０】
本実施の形態によれば、マルチキャスト送信制御部２５ｂは、第１の所定値と第２の所定値とが異なる場合であっても、第１合計値に対する第２合計値の割合を指標として、適切にマルチキャスト送信の制御を行うことができる。
【００６１】
［実施の形態４］
実施の形態４では、Ｌｏ≠Ｌ、Ｐｏ≠Ｐである場合について説明する。本実施の形態と実施の形態１乃至３とでは、基地局装置１０の構成に違いがあり、以下、その違いを中心に説明する。
【００６２】
図９は、本実施の形態にかかる基地局装置１０である基地局装置１０ｄの内部構成を示す概略ブロック図である。同図に示すように、基地局装置１０ｄは、基地局装置１０ａの構成に加え、第１の個数記憶部２６、第２の個数記憶部２７、第１の所定値記憶部２８、第２の所定値記憶部２９を含んで構成される。これらの各記憶部は、実施の形態２又は３で説明したものと同様である。また、マルチキャスト送信制御部２５ａに代えてマルチキャスト送信制御部２５ｄを含んで構成される。マルチキャスト送信制御部２５ｄは、閾値算出部２５１ａに代えて閾値算出部２５１ｄを含む点で、マルチキャスト送信制御部２５ａと相違している。
【００６３】
マルチキャスト送信制御部２５ｄは、第１合計値に対する第２合計値の割合と、第１の個数に対する第２の個数の割合と、第１の所定値に対する第２の所定値の割合と、に基づき、マルチキャスト送信の制御を行う。以下、具体的に説明する。
【００６４】
閾値算出部２５１ｄは各記憶部から上記Ｌｏ，Ｌ，Ｐｏ，Ｐを読み出し、第１合計値と、第１の個数に対する第２の個数の割合Ｌ／Ｌｏと、第１の所定値に対する第２の所定値の割合Ｐ／Ｐｏと、に基づき、前記閾値を算出する。式（４）は、この閾値の算出式である。
閾値＝第１合計値×基準再送要求率×（Ｌ／Ｌｏ）×（Ｐ／Ｐｏ）  ・・・（４）
閾値を算出した後の処理は、実施の形態１乃至３と同様である。
【００６５】
本実施の形態によれば、マルチキャスト送信制御部２５ｄは、第１の個数と第２の個数、第１の所定値と第２の所定値、がそれぞれ異なる場合であっても、第１合計値に対する第２合計値の割合を指標として、適切にマルチキャスト送信の制御を行うことができる。
【００６６】
以上本発明の実施の形態１乃至４について説明したが、ここで、上記Ｌｏ，Ｌ，Ｐｏ，Ｐの最適値について説明する。上述したように、これらはユーザにより決定されるものであるが、次のようにして決定される値を使用することが好ましい。すなわち、Ｌｏに対するＬの比（Ｌ／Ｌｏ）は、基準再送要求率に基づいて決定されることが好ましい。例えば、基準再送要求率とＬｏ／Ｌが等しくなるようにすることが好ましい。また、Ｐｏに対するＰの比（Ｐ／Ｐｏ）も、基準再送要求率に基づいて決定されることが好ましい。例えば、基準再送要求率とＰｏ／Ｐが等しくなるようにすることが好ましい。
【００６７】
上述したように、マルチキャスト送信制御部２５ａ等は、第１合計値に対する第２合計値の割合に基づき、マルチキャスト送信の制御を行うが、第１受信レベル合計値取得部２０及び第２受信レベル合計値取得部２１がそれぞれ取得する第１合計値及び第２合計値には、ノイズ成分が含まれる。そして、ノイズ成分を含まない理想的な上記割合と、実際に取得された第１合計値及び第２合計値に基づいて求められる割合と、は第１合計値及び第２合計値の差が大きいほど、大きく乖離する。それ故、第１合計値と第２合計値の差が大きくなりすぎることは好ましくないところ、上記のようにして上記Ｌｏ，Ｌ，Ｐｏ，Ｐを決定しておけば、第１合計値と第２合計値の差が大きくなりすぎないようにすることができる。
【００６８】
なお、本発明は、以上説明した実施の形態１乃至４に何等限定されるものではなく、本発明は、その要旨を逸脱しない範囲において、種々なる態様で実施され得ることは勿論である。
【００６９】
例えば、上記各実施の形態では、第１のサブキャリア群を、図２に示した時刻ｔ２〜ｔ３に送信されるＯＦＤＭシンボルを構成するサブキャリアのうちのＭｏ個とし、第２のサブキャリア群を、図２に示した時刻ｔ２〜ｔ３に送信されるサブキャリアのうちの他のＭ個としたが、例えば図１０に示すように、第１のサブキャリア群を、時刻ｔ２〜ｔ３に送信されるＯＦＤＭシンボルを構成するサブキャリアのうちのＭｏ個とし、第２のサブキャリア群を、時刻ｔ３〜ｔ４（ｔ４はｔ３の後）に送信されるサブキャリアのうちの他のＭ個としてもよい。こうすれば、より多くのサブキャリアを同報受信信号及び再送要求信号の送信に用いることができるようになる。
【００７０】
また、上記実施の形態では、上記Ｌｏ，Ｌ，Ｐｏ，Ｐをユーザが決定するものとして説明したが、基地局装置１０が、基準再送要求率入力受付部２５０によって受け付けられた基準再送要求率に基づいて、Ｌｏ，Ｌ，Ｐｏ，Ｐの上記最適値を算出し、算出した値を第１の個数記憶部２６，第２の個数記憶部２７，第１の所定値記憶部２８，第２の所定値記憶部２９に記憶させるとともに、各無線端末装置３０に送信することとしてもよい。この場合、各無線端末装置３０は、受信したＬｏ，Ｌ，Ｐｏ，Ｐを、第１の個数記憶部３８，第２の個数記憶部４０，第１の所定値記憶部３９，第２の所定値記憶部４１に記憶させることが好適である。
【００７１】
また、基地局装置１０や無線端末装置３０の機能を実現するためのプログラムをコンピュータ読み取り可能な記録媒体に記録して、この記録媒体に記録されたプログラムをコンピュータシステムに読み込ませ、実行することにより、各装置の上記各処理を行ってもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【００７２】
【図１】本発明の実施の形態にかかる無線通信システムのシステム構成を示す図である。
【図２】本発明の実施の形態にかかるマルチキャスト送信の概略の説明図である。
【図３】本発明の実施の形態にかかる無線端末装置の内部構成を示す概略ブロック図である。
【図４】本発明の実施の形態にかかる無線端末装置が送信する再送要求信号の一例を示す図である。
【図５】本発明の実施の形態にかかる基地局装置が受信した再送要求信号の一例を示す図である。
【図６】本発明の実施の形態１にかかる基地局装置の内部構成を示す概略ブロック図である。
【図７】本発明の実施の形態２にかかる基地局装置の内部構成を示す概略ブロック図である。
【図８】本発明の実施の形態３にかかる基地局装置の内部構成を示す概略ブロック図である。
【図９】本発明の実施の形態４にかかる基地局装置の内部構成を示す概略ブロック図である。
【図１０】本発明の実施の形態の変形例にかかるマルチキャスト送信の概略の説明図である。
【符号の説明】
【００７３】
１  無線通信システム、
１０，１０ａ，１０ｂ，１０ｃ，１０ｄ  基地局装置、
１１，３７  制御部、
１２，２４，３６，４２  符号器、
１３，４４  変調器、
１４，４５  Ｓ／Ｐ変換器、
１５，４６  ＯＦＤＭシンボル生成器、
１６，１８，３２，４７  ＲＦ部、
１７，３１  アンテナ、
１９，３３  ＯＦＤＭシンボル検出器、
２０  第１受信レベル合計値取得部、
２１  第２受信レベル合計値取得部、
２２，３４  Ｐ／Ｓ変換器、
２３，３５  復調器、
２５ａ，２５ｂ，２５ｃ，２５ｄ  マルチキャスト送信制御部、
２６，３８  第１の個数記憶部、
２７，４０  第２の個数記憶部、
２８，３９  第１の所定値記憶部、
２９，４１  第２の所定値記憶部、
３０  無線端末装置、
４３  多重部、
２５０  基準再送要求率入力受付部、
２５１ａ，２５１ｂ，２５１ｃ，２５１ｄ  閾値算出部、
２５２  比較部、
３７０  同報受信信号送信部、
３７１  再送要求信号送信部。
【図１】
2008277913.tif 000003
【図２】
2008277913.tif 000004
【図３】
2008277913.tif 000005
【図４】
2008277913.tif 000006
【図５】
2008277913.tif 000007
【図６】
2008277913.tif 000008
【図７】
2008277913.tif 000009
【図８】
2008277913.tif 000010
【図９】
2008277913.tif 000011
【図１０】
2008277913.tif 000012